(57)【特許請求の範囲】
【請求項１】
水平状流入管（８０）と垂直状副管（８１）とを接続するための９０°大曲りエルボに相当する仮想管路をもつ継手本体（５）で、該エルボの外曲壁（６）を、前記流入管（８０）と略同一管軸上で着脱自在に固定したプラグ（７）の先端面（８）により形成し、該プラグ（７）を前記継手本体（５）自体に設けたプラグ挿入口（９）に挿入したコンクリ−ト製マンホ−ルの副管部材（１）において、
前記プラグ（７）の先端面（８）の反対側にプラグ挿脱用ハンドル（１３）を設けると共に、前記プラグ挿入口（９）の外端部に、前記ハンドル（１３）により差込み規制されるピン（２０）を差込み・貫通することにより、プラグ（７）の抜止め固定と、前記先端面（８）の挿入姿勢の規制とをするようにしたことを特徴とするコンクリ−ト製マンホ−ル用副管部材。
【発明の詳細な説明】
【０００１】
【発明の属する技術分野】
本発明は、コンクリ−ト製マンホ−ル用副管部材に関するものである。
【０００２】
【従来の技術】
一般に、地表勾配が急な所に設置されたコンクリ−ト製マンホ−ルでは、その側壁に直接、排水用流入管を設けて放出すると、いわゆる滝落しとなって、汚物が側壁に飛び散って附着したり、インバ−トやその周辺に汚物が堆積して、マンホ−ルの機能を失うと共に、この流入管と流出管との段差が０．６ｍ以上あるとインバ−ト等底部を洗掘ないし浸食することになる。
【０００３】
そのため、マンホ−ルの手前または内部において、塩ビ製の立ち下がり管、例えば布設勾配の急な場合の外副管と、勾配のゆるやかな場合の内  副管を設けている。
【０００４】
更にいえば、これらの副管は、一般的には流入管を穿孔して９０°支管を介して接続する構造にするため、流入管より１サイズ下の口径の副管を用いて、前記滝落しをなくして洗掘等を防ぐと共に、マンホ−ル本体の点検・掃除にも支障のないようにしている。
【０００５】
かかる副管付コンクリ−ト製マンホ−ルの代表例について述べる。図３において、１００はマンホ−ル本体で、その底部にインバ−ト１０１を形成しており、天井部に蓋１０２を覆っている。
【０００６】
このマンホ−ル本体１００の側壁には、塩ビ製（合成樹脂製）の排水用流入管１０３が接続され、また、インバ−ト１０１には塩ビ製（合成樹脂製）の流出管１０４が接続されている。
【０００７】
そして、この流入管１０３にはチ−ズ状の継手（クロス管）１０５を介して副管１０６が立ち下がっている。この副管１０６は、直管は勿論、接着受口カラ−１０７や９０°エルボ１０８等から構成され、止金具１０９によってマンホ−ル本体１００の側壁に固定されている。
【０００８】
また、前記継手１０５は塩ビ製（合成樹脂製）であって、流入管側には、その短管部が若干長寸になったゴム輪受口１１０を設け、これと反対下流側には横向きキャップ（プラグともいう）１１１を挿入する挿入口（水平点検掃除口）を設け、また、上向きには溢流兼点検口（垂直点検掃除口）１１２を設けている。
【０００９】
この横向きキャップ１１１はマンホ−ル本体１００内の作業を考慮して常時閉塞しているので、これに流入管１０４の排水の流れによる動圧がかかることから、複数の蝶ネジ（不図示）で縫い付けて着脱可能に固定している。
【００１０】
なお、継手本体１０５の外面には、補強用のＦＲＰコ−ティング１１４や砂付加工を施している。
【００１１】
ところが、かかる副管付コンクリ−ト製マンホ−ルには、１）横向きキャップ１１１の内側の付近に汚物が残り、それが堆積し、ひいては副管１０６を閉塞する、２）横向きキャップ１１１は複数の蝶ネジで固着しているので、取外した蝶ネジが紛失することもあり、また、その取外しも面倒になる、という問題点があった。
【００１２】
ところで、本出願人はこの種、副管付コンクリ−ト製マンホ−ルについて多数の提案（例えば特開平９−６０７８４号公報、特開平９−１９６２７４号公報、特開平１０−６１８６５号公報、特開平１０−２５２１２９号公報参照）を行い、商品化しているが、前記問題点の解決についても、次のような提案を行い権利化している（特許第２８８６４８２号公報参照）。
【００１３】
すなわち、図４に示すように水平状流入管８０と垂直状副管８１とを９０°大曲りエルボ８２に相当する仮想管路で接続し、この９０°大曲りエルボ８２の外曲壁８３を、前記流入管８０と略同一管軸上で、かつ、その反対下流側に着脱自在に固定した受口プラグ８４の嵌合部８８の先端面で形成した副管付コンクリ−ト製マンホ−ルを提案している。
【００１４】
したがって、かかる合成樹脂製のプラグ付クロス管（プラグ付の十字状管継手ともいう）により、流入管８０と副管８１とを特にその９０°大曲りエルボ８２で接続したので、その接続部において、排水が円滑に流れて固形物の残留がなく、ひいては副管８１の管詰りを防止し、また、副管８１への掃除具の挿入も容易にできる。
【００１５】
しかも、９０°大曲りエルボ８２の外曲壁８３の殆ど全部を受口プラグ８４の先端面で構成したので、受口プラグ８４の取外し時のみ、オ−バ−ホ−ル的な掃除ができることから、従来例の問題を解決すると共に、新たな有益な効果を発揮している。
【００１６】
なお、かかるプラグ付クロス管をもつ副管について更に述べる。この９０°大曲りエルボ８２の内曲壁８５は継手本体８６で構成されており、この継手本体８６を水平状に延長してプラグ受口（水平点検掃除口）８７を設け、このプラグ受口８７に受口プラグ８４を挿入している。
【００１７】
また、この受口プラグ８４の嵌合部８８の外端にはフランジ８９が一体形成され、また、継手本体８６のプラグ受口８７の開口端にはフランジ９０が形成され、両フランジ８９，９０は、複数のボルト・ナットにより、または、継手本体８６のプラグ受口８７と受口プラグ８４の嵌合部８８とをバョネット結合（差込継手）機構で着脱自在に固定している。
【００１８】
また、継手本体８６には、上向きにリング９１を嵌着したキャップ挿入口（垂直点検掃除口）９２が設けられ、このキャップ挿入口９２に、ツマミ９３を有するキャップ９４が着脱自在に挿入されている。
【００１９】
【発明が解決しようとする課題】
しかしながら、かかる提案のプラグ付クロス管をもつ副管では、その後、次のような不充分な点が判明した。
【００２０】
本来、コンクリ−ト製マンホ−ルに副管を付設すると、この副管では排水の流れの直進性が阻害されることから、掃流力ないし流下能力の低下をきたし、管詰りが多発しがちとなる。そのため、この副管には必ず掃除口が設けられ掃除を容易にしている。
【００２１】
一方、下水には多種多様な病原菌が含まれることから、この清掃作業にはゴム手袋やゴム長靴等を着用することが義務付けられており、素手で行うことを禁止しているので、前記の受口プラグ８４やキャップ９４の着脱が面倒となることは歪めない。
【００２２】
殊に、受口プラグ８４を継手本体８６のプラグ受口８７へ、オ−バ−ホ−ル的な保守点検をした後、再び挿入する場合、前記受口プラグ８４の先端面は９０°大曲りエルボ８２の外曲壁８３と略同一に形成していることから、もし、受口プラグ８４を正姿勢でない方向で挿入すると、受口プラグ８４の先端面が９０°大曲りエルボ８２の外曲壁８３を形成せず、排水の流れが円滑にならず、固形物の引掛かり等が発生する。
【００２３】
そのため、継手本体８６と受口プラグ８４との挿入方向の位置決め印等が考えられるが、継手本体８６等の表面には排水で洗われないこともあって、スライム等が付着し、この位置決め印等の確認困難となり、保守点検作業が面倒となり、ひいては、保守点検作業の信頼性を低くするおそれがある。
【００２４】
そこで本発明は、その後判明した、かかる問題を解決することを主たる目的と、量産化向きの簡素な構造として安価にすることを副たる目的とする。
【００２５】
【課題を解決するための手段】
かかる目的を達成するため、本発明は１）水平状流入管（８０）と垂直状副管（８１）とを接続するための９０°大曲りエルボに相当する仮想管路をもつ継手本体（５）で、該エルボの外曲壁（６）を、前記流入管（８０）と略同一管軸上で着脱自在に固定したプラグ（７）の先端面（８）により形成し、該プラグ（７）を前記継手本体（５）自体に設けたプラグ挿入口（９）に挿入したコンクリ−ト製マンホ−ルの副管部材（１）において、前記プラグ（７）の先端面（８）の反対側にプラグ挿脱用ハンドル（１３）を設けると共に、前記プラグ挿入口（９）の外端部に、前記ハンドル（１３）により差込み規制されるピン（２０）を差込み・貫通することにより、プラグ（７）の抜止め固定と、前記先端面（８）の挿入姿勢の規制とをするようにしたことを特徴とするコンクリ−ト製マンホ−ル用副管部材を要旨とするものである。
【００２６】
【発明の実施の形態】
本発明を、添付図面に示す実施の形態例により詳細に述べる。
図１は本発明の実施の形態例の一部切欠側面図、図２は図１の正面図であるが、図３および図４で示す従来例と同一ないし共通部分は図示およびその説明を省略する。
【００２７】
本実施の形態例は、コンクリ−ト製マンホ−ルに接続する排水用塩ビ製流入管が１５０ｍｍφから３００ｍｍφのものに好適であって、したがって、内副管の口径はこの流入管と同径か、１サイズ下の口径（流入管が２００ｍｍφに対し内副管は１５０ｍｍφ）になっている。
【００２８】
そして本発明には、次の実施態様例が含まれている。
【００２９】
水平状流入管と垂直状副管とを接続するための９０°大曲りエルボに相当する仮想管路をもつ継手本体であって、該エルボの外曲壁を、前記流入管と略同一管軸上で着脱自在に固定したプラグの先端面で形成し、該プラグを、前記継手本体自体に設けたプラグ挿入口に挿入したコンクリ−ト製マンホ−ルの内副管部材において、前記プラグの先端面の反対側に、プラグ挿脱用ハンドルを設けると共に、前記プラグ挿入口の外端部に、ピンを上方から差込み・貫通して該プラグの抜止め固定し、該ピンと前記ハンドル近傍とをチェ−ンで連結してピンの紛失を防ぐと共に、ハンドルの位置と差込むピン、および、チェ−ンの長さにより、プラグの先端面の正姿勢のための２重のフ−ルプル−フを形成したことを特徴とする。
【００３０】
さて図１および図２において、この副管部材たる継手１は、例えば２００ｍｍφの水平状の流入管（図４における符号８０参照）が接続される流入管用受口２が、また、１５０ｍｍφの垂直状の副管（図４における符号８１参照）が接続される副管用受口３が、それぞれ塩ビ射出成形によりそれ自体に一体形成されたものであって、しかも、、これらの流入管用受口２と副管用受口３とを接続するため、同径または異径の９０°大曲りエルボ（またはＬＴ、径違い大曲りＹともいう）に相当する仮想管路を形成している。
【００３１】
したがって、流入管用受口２と副管用受口３とは滑らかな曲面構造によって連結され、排水の流れを円滑にし、固形物の堆積がなく、しかも、掃除具の挿入操作が容易になっている。
【００３２】
そして、この仮想９０°大曲りエルボにおける内曲壁４は継手本体５自体によって構成され、また、その外曲壁６の殆ど全部は、横向きの受口プラグ（単にプラグともいう）７の先端面８により構成されている。なお、この外曲壁６の残部は継手本体５自体によって構成されている。
【００３３】
この受口プラグ７は、塩ビ射出成形品またはＦＲＰ成形品（スプレ−アップ品ひいては合成樹脂成形品）であり、継手本体５に一体形成した横向き受口（プラグ挿入口または水平点検掃除口ともいう）９に挿入する。
【００３４】
したがって、この横向き受口９は、継手本体５において前記流入管用受口２と略同一管軸上で、水平状に延長して一体形成されている。
【００３５】
この受口プラグ７の先端面８は、前記のように仮想９０°大曲りエルボの外曲壁６を構成するので、受口プラグ７の嵌合部１０を斜めに切断した凹状且つ弯曲面により形成される。
【００３６】
また、この受口プラグ７は、その嵌合部１０の上面によって、継手本体５に穿設された上向き点検口（垂直点検掃除口）１１を閉塞している。
【００３７】
したがって、この上向き点検口１１が前記副管用受口３の軸線より若干流入管用受口２側に偏位して開口していても、この上向き点検口１１には、閉塞用キャップ（図３の符号１１２参照）を用いる必要がない程、受口プラグ７の嵌合部１０を長寸にしている。
【００３８】
なお、この上向き点検口１１の開口部には立上りリング１２を継手本体５に一体形成し、掃除具の挿入のガイドとし、かつ、開口部の補強としている。したがって、この上向き点検口１１は単なる開口部ということができる。
【００３９】
以上のように、この継手本体５は、全体として略９０°大曲りＹの継手状になっていて、水平方向に流入管用受口２および横向き受口９を、垂直方向に副管用受口３および上向き点検口１１を、これらのみで形成したので、きわめて簡素化し、合成樹脂成形品として簡単な金型抜き機構で成形ができ、ひいては、量産可能となって安価に提供することができる。
【００４０】
なお、これらの流入管用受口２や副管用受口３は、規格化されたＴＳ接合用受口が好ましいが、差口等の接続部でもよい。
【００４１】
また特に、前記受口プラグ７は、射出成形品や簡単なスプレ−アップ品として量産化のため、次のような構造にしている。
【００４２】
すなわち、受口プラグ７はこれを中空成形品とするため、有底（先端面８付）円筒体である嵌合部１０と、外面に一体成形した半割りリング状のル−プハンドル１３をもつ浅皿状キャップ部１４と、を接着接合して一体化している。
【００４３】
このル−プハンドル１３を上下方向に位置すれば先端面８が正規の外曲壁を構成するようにしている。
【００４４】
すなわち、嵌合部１０の反先端面８側を縮径した挿入部１５を形成し、この挿入部１５をキャップ部１４のリング足１６に接着剤を介して挿入した構造にしている。
【００４５】
したがって、この受口プラグ７の構造は、嵌合部１０とキャップ部１４とを受口・差口のソケット嵌接合構造にしたもの、ということができる。
【００４６】
なお、このキャップ部１４の外周には当接フランジ１７を延設して、前記横向き受口９の拡径段部（ストッパ−ともいう）に当接するようにし、また、キャップ部１４のリング足１６と横向き受口９との間にはＯリング１８を介在させてシ−ルしている。したがって、この横向き受口９はゴム輪受口ということができる。
【００４７】
この受口プラグ７は、以上のような中空成形品としながら、きわめて簡素化して手作業も節減し量産可能とし、安価に提供することができる。
【００４８】
ここにおいて、本実施の形態例の副管部材たる継手１では、受口プラグ７を継手本体５の横向き受口９に正姿勢（先端面８が仮想９０°大曲りエルボの外曲壁６を担持する姿勢をいう）で挿入セットし、しかも、挿入後抜止め固定するため、次のような構造にしている。
【００４９】
すなわち、横向き受口９の拡径段部を管軸方向に延設して、少なくとも、受口プラグ７のル−プハンドル１３がカバ−されるようにし、継手本体５に受口プラグ７を挿入セットして工場出荷しても、流通過程でル−プハンドル１３が切損等のないように保護している。
【００５０】
そして、この拡径部１９、すなわち横向き受口９の外端部には、その管頂側と管底側とを貫通するピン２０を上方から差込み、このピン２０によりその外側から管軸方向に押えて受口プラグ７の抜止め固定している。なお、このピン２０には補強兼差込ストッパリブ２３を設けている。
【００５１】
したがって、このピン２０は図示のようなＵ字タイプでもまた、１本の頭付タイプでもよく、要するにＪＩＳ用語にあるように穴に差込んで位置決めする目的に用いる棒状のものであればよい。
【００５２】
Ｕ字タイプのピン２０を用いるときは、正姿勢に挿入セットされたル−プハンドル１３の両側を挟んで差込むようにするため、横向き受口９の外端部の上下部には２つの穴２１をそれぞれ設けている。
【００５３】
したがって、もし、受口プラグ７が正姿勢でセットされていないと、ピン２０を貫通させようとしても、ル−プハンドル１３が邪魔になって差込むことができないので、目視しながら受口プラグ７の挿入セットを正姿勢に正すことができる。したがって、このピン２０はフ−ルプル−フ装置の一種ということができる。
【００５４】
また、このピン２０と、受口プラグ７のル−プハンドル１３の上方とを長尺のＳＵＳ製チェ−ン（可撓性連結長尺体）２２で結合し、このチェ−ン２２の長さでもってフ−ルプル−フ装置を構成している。
【００５５】
したがって、このチェ−ン２２と前記ピン２０によるフ−ルプル−フ装置との組合せにより作業ミスを２重に防止している。
【００５６】
すなわち、このチェ−ン２２の一端とル−プハンドル１３とは該ル−プハンドル１３の上方で結合させ、また、このチェ−ン２２の他端とＵ字タイプのピン２２とは、該ピン２２のＵ字連結部で係合させているので、もし、このル−プハンドル１３の上方が下向きになった状態で受口プラグ７が挿入され、その先端面８が正姿勢でない状態となると、このチェ−ン２２の長さの制限により、ピン２２は横向き受口９の外端部の上方から差込むことができないようにしている。
【００５７】
なお、前記ル−プハンドル１３は棒状の曲りハンドルでもよく、更には椀状のハンドルでこの椀状ハンドルにもピン穴をあけ、貫通するピン２０を挿通するようにして、受口プラグ７の位置決めができるものでもよい。
【００５８】
次に、本実施の形態例の作用を述べる。
【００５９】
流入管（図３の符号１０３等参照）を接続するコンクリ−ト製マンホ−ル本体（図３の符号１６０等参照）に、継手本体５をモルタル等により固定する。
【００６０】
そして、流入管用受口２に流入管を、副管用受口３に副管（図３の符号１０６等参照）を接着接合すると共に、横向き受口９に受口プラグ７を挿入して、ル−プハンドル１３の両側面に沿うようピン２０を上方から手袋をした手作業で単に差し込み、受口プラグ７を抜止め固定すると共に、受口プラグ７の挿入正姿勢を確認する。
【００６１】
したがって、流入管を流れる排水（汚水）は、受口プラグ７の滑らかな曲面の先端面８によって、垂直下方にスム−ズに流れ、しかも、固形物（汚物）の堆積を防ぐ。
【００６２】
また、保守・点検時に流入管や副管（勿論、マンホ−ルも含め）を掃除ロッド等の掃除具によって掃除するときは、受口プラグ７を外さなくても、流入管側から挿入すれば、先端面８に案内されて副管の掃除ができる。勿論、受口プラグ７を外せばオ−バ−ホ−ル的な掃除ができる。
【００６３】
この受口プラグ７を外すには、ピン２０を上方に容易に引抜き、しかも、再び差込むときには、ピン２０は、チェ−ン２２により受口プラグ７に連結しているので、紛失することはなく、また受口プラグ７の再挿入後の正姿勢のセットに便利となる。
【００６４】
なお、本発明は、外副管にも適用できる。
【００６５】
【発明の効果】
本発明によると、プラグに付けたハンドル、または可撓性連結長尺体の長さによって、ピンの差込みが規制でき、ひいては、プラグの正姿勢の規制となり、しかも、ピンの差込みがプラグを固定するので、目視によって、プラグ挿入セットの姿勢を矯正することができ、したがって、苛酷な保守・点検作業を楽にすることができ、すなわち、ゴム等手袋を用いる手作業が容易にでき、その結果、作業後の信頼性を得ることができる。
【図面の簡単な説明】
【図１】  本発明の実施の形態例の一部切欠側面図である。
【図２】  図１の正面図である。
【図３】  従来例である。
【図４】  従来例である。
【符号の説明】
１…継手、２…流入管用受口、３…副管用受口、５…継手本体、６…外曲壁、        ７…受口プラグ、９…横向き受口、１３…ル−プハンドル、２０…ピン、２２…        チェ−ン
【図１】
0003727517.tif 000002
【図２】
0003727517.tif 000003
【図３】
0003727517.tif 000004
【図４】
0003727517.tif 000005